(57)【要約】【課題】  広告などのコンテンツ表示システムにおいて、各場所で表示するコンテンツを、閲覧者の関心に応じて効果的に拡散させ、各場所でのコンテンツ表示内容を最適化し、また、サーバの負荷を増大させることなく、自動的に行うことを課題とする。【解決手段】  閲覧者が使用する媒体１０４０と双方向通信を行い、複数のコンテンツ表示装置１０１０と、コンテンツ管理サーバ１０３０とから構成され、コンテンツ表示装置１０１０は、媒体１０４０に対して、表示中のコンテンツの識別子を送信し、媒体内に格納されたコンテンツの識別子を受信し、コンテンツの識別子をコンテンツ管理サーバ１０３０に送信し、集計し、集計した情報に基づいてコンテンツ表示スケジュールを計画し、表示スケジュールに従ってコンテンツ情報を表示し、コンテンツ管理サーバ１０３０は、受信した識別子に対応したコンテンツ情報を、コンテンツ表示装置１０１０に送信する。【選択図】        図１
2006301838.tif 000002
【特許請求の範囲】
【請求項１】
閲覧者が使用する媒体と双方向通信を行い、コンテンツ情報を表示する複数のコンテンツ表示装置と、該コンテンツ表示装置と通信可能で、前記コンテンツ情報を管理するコンテンツ管理サーバとから構成されるコンテンツ表示制御システムにおいて、
前記コンテンツ表示装置は、閲覧者が使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信し、前記媒体から受信したコンテンツの識別子を集計し、集計した情報に基づいてコンテンツ表示スケジュールを計画し、該コンテンツ表示スケジュールに従ってコンテンツ情報を表示し、前記コンテンツ管理サーバは、受信した前記一件または複数件のコンテンツの識別子に対応したコンテンツ情報を、前記コンテンツ表示装置に送信することを特徴とするコンテンツ表示制御システム。
【請求項２】
請求項１記載のコンテンツ表示制御システムにおいて、
前記コンテンツ表示装置は、閲覧者が使用する媒体から受信したコンテンツの識別子に対応したコンテンツ情報を記憶しているとき、そのコンテンツの識別子を除いたコンテンツの識別子を、前記コンテンツ管理サーバに送信することを特徴とするコンテンツ表示制御システム。
【請求項３】
請求項１記載のコンテンツ表示制御システムにおいて、
前記コンテンツ表示装置は、媒体から受信した一件または複数件のコンテンツの識別子と、該識別子を受信した受信日時とを対応付けて格納し、前記コンテンツ表示スケジュールを計画する際に、受信したコンテンツの識別子と対応する受信日時を集計し、当該情報に基づいて計画することを特徴とするコンテンツ表示制御システム。
【請求項４】
前記請求項１項のコンテンツ表示制御システムであって、
前記閲覧者の使用する媒体は、前記コンテンツ表示装置から受信したコンテンツの識別子を、前記媒体が当該識別子を受信した受信日時と対応付けて格納する手段を有しており、前記コンテンツ表示装置は、前記媒体に以前に格納された一件または複数件のコンテンツの識別子と、対応する受信日時を受信し、前記媒体から受信したコンテンツの識別子と受信日時を格納し、受信したコンテンツの識別子と受信日時とを集計し、集計した情報に基づいてコンテンツ表示スケジュールを計画することを特徴とするコンテンツ表示制御システム。
【請求項５】
閲覧者が使用する媒体と双方向通信を行い、コンテンツ情報を表示する複数のコンテンツ表示装置から構成されるコンテンツ表示制御システムにおいて、
前記コンテンツ表示装置は、複数のコンテンツ情報を格納し、閲覧者の使用する媒体に対して、表示中のコンテンツの識別子を送信し、前記媒体内に格納された一件または複数件のコンテンツの識別子を受信し、前記媒体から受信したコンテンツの識別子を用いて、コンテンツ表示スケジュールを計画し、計画したコンテンツ表示スケジュールに従ってコンテンツ情報を表示することを特徴とするコンテンツ表示制御システム。
【請求項６】
請求項１記載のコンテンツ表示制御システムにおいて、
前記コンテンツ表示装置は、前記媒体から受信した一件または複数件のコンテンツの識別子を、他の特定のコンテンツ表示装置に送信することを特徴とするコンテンツ表示制御システム。
【請求項７】
請求項６記載のコンテンツ表示制御システムにおいて、
前記他の特定のコンテンツ表示装置は、自装置において媒体から受信したコンテンツの識別子と、前記コンテンツ表示装置から受信したコンテンツの識別子とを集計し、集計した情報に基づいてコンテンツ表示スケジュールを計画し、該コンテンツ表示スケジュールを、前記コンテンツ表示装置に送信することを特徴とするコンテンツ表示制御システム。
【請求項８】
閲覧者が使用する媒体と双方向通信を行い、コンテンツを表示する複数のコンテンツ表示装置と、該コンテンツ表示装置と通信可能で、前記コンテンツ情報を管理するコンテンツ管理サーバと、閲覧者が使用する媒体と双方向通信を行い、前記閲覧者にサービスを提供する他の複数のアクセス機器から構成されるコンテンツ表示制御システムにおいて、
前記コンテンツ表示装置は、閲覧者の使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信する送信手段を有し、前記媒体から受信したコンテンツの識別子、及び前記アクセス機器から受信したコンテンツの識別子を集計し、集計した情報に基づいてコンテンツ表示スケジュールを計画し、該コンテンツ表示スケジュールに従ってコンテンツ情報を表示し、前記コンテンツ管理サーバは、受信した前記一件または複数件のコンテンツの識別子に対応したコンテンツ情報を、前記コンテンツ表示装置に送信し、前記アクセス機器は、前記媒体に格納された一件または複数件のコンテンツの識別子を受信し、前記受信した一件または複数件のコンテンツの識別子を前記コンテンツ表示装置に送信することを特徴とするコンテンツ表示制御システム。
【請求項９】
コンテンツ情報を管理するコンテンツ管理サーバと通信可能で、閲覧者が使用する媒体と双方向通信を行い、前記コンテンツ情報を表示するコンテンツ表示装置において、
閲覧者が使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信し、前記媒体から受信したコンテンツの識別子を集計し、集計した情報に基づいてコンテンツ表示スケジュールを計画し、該コンテンツ表示スケジュールに従ってコンテンツ情報を表示することを特徴とするコンテンツ表示装置。
【請求項１０】
請求項９記載のコンテンツ表示装置において、
前記媒体から受信したコンテンツの識別子を集計する際に、閲覧者が使用する媒体と双方向通信を行い、前記閲覧者にサービスを提供するアクセス機器から受信したコンテンツの識別子を加えて集計することを特徴とするコンテンツ表示装置。
【請求項１１】
閲覧者が使用する媒体と双方向通信を行い、コンテンツを表示する複数のコンテンツ表示装置と、該コンテンツ表示装置と通信可能で、前記コンテンツ情報を管理するコンテンツ管理サーバから構成されるコンテンツ表示制御システムにおけるコンテンツ表示制御方法において、
前記コンテンツ表示装置が、閲覧者の使用する媒体に対して、表示中のコンテンツの識別子を送信する第一のステップと、前記コンテンツ表示装置が、前記媒体内に格納された一件または複数件のコンテンツの識別子を受信する第二のステップと、前記コンテンツ表示装置が、前記受信した一件、または複数件のコンテンツの識別子をコンテンツ管理サーバに送信する第三のステップと、前記コンテンツ管理サーバが、前記受信した一件、または複数件のコンテンツの識別子に対応するコンテンツ情報を、前記コンテンツ表示装置に送信する第四のステップと、前記コンテンツ表示装置が、前記媒体から受信した一件または複数件のコンテンツの識別子を用いて、コンテンツ表示スケジュールを計画する第五のステップと、前記コンテンツ表示装置が、前記コンテンツ表示スケジュールに従ってコンテンツ情報を表示する第六のステップとを有することを特徴とするコンテンツ表示制御方法。
【請求項１２】
閲覧者が使用する媒体と双方向通信を行い、コンテンツを表示する複数のコンテンツ表示装置と、該コンテンツ表示装置と通信可能で、前記コンテンツ情報を管理するコンテンツ管理サーバから構成されるコンテンツ表示制御システムにおけるコンテンツ表示装置に使用されるコンピュータ・ソフトウエアであって、
閲覧者の使用する媒体に対して、表示中のコンテンツの識別子を送信する機能と、前記媒体内に格納された一件または複数件のコンテンツの識別子を受信する機能と、前記受信した一件または複数件のコンテンツの識別子をコンテンツ管理サーバに送信する機能と、前記媒体から受信した一件または複数件のコンテンツの識別子を用いて、コンテンツ表示スケジュールを計画する機能と、前記コンテンツ表示スケジュールに従ってコンテンツ情報を表示する機能とを前記コンテンツ表示装置に実現させるプログラムであることを特徴とするコンピュータ・ソフトウエア。
【発明の詳細な説明】
【技術分野】
【０００１】
本発明は、コンテンツ表示制御システム及びコンテンツ表示装置とコンテンツ表示制御方法並びにコンピュータ・ソフトウエアであり、複数の場所に設置された表示装置を用いたシステム及び方法に係わり、特に、閲覧者がアクセス可能な広告表示装置を用いた広告表示制御システムに係わる。
【背景技術】
【０００２】
利用者が広告表示装置にアクセスし、表示中の広告に関連した情報を取得する方法が、特許文献１、２に示されている。特許文献１では、広告に電話番号やＵＲＬを表示し、アクセスしてきた閲覧者に対して広告に関連した音声情報等を提供すると共に、アクセス履歴を蓄積し、広告の注目度を定量的に評価する方法が示されている。また、特許文献２では、広告に場所の識別記号を含むアクセスキーを表示し、閲覧者がこのアクセスキー用いてアクセスすることにより、場所に応じた情報を提供し、さらにこのアクセス履歴情報を顧客情報として活用する方法も示されている。
【特許文献１】特開２００２−３２６５２号公報
【特許文献２】特開２００２−３４２２０９号公報
【発明の開示】
【発明が解決しようとする課題】
【０００３】
上記の公知技術では、閲覧者がアクセス可能な広告システムにおいて、閲覧者のアクセス履歴を収集する方法が示されている。特に、特許文献２では、閲覧者のアクセス場所ごとのアクセス履歴を収集することが可能である。しかし、いずれの文献でも、上記アクセス履歴を各場所での表示計画に反映する方法は示されていなかった。
【０００４】
また、閲覧者の行動範囲を考慮して、各広告の表示場所を変更する方法はなかった。例えば、従来の広告においては、ある閲覧者が広告を閲覧し、当該情報を口コミで他者に伝えるような伝播方法が、マーケティングにおいては有効であるとされているが、このような広告の伝播方法を、広告表示装置を用いたシステムにおいて提供する方法はなかった。
【０００５】
また、上記の例では、アクセス履歴はいずれもサーバに収集されて処理されるため、注目度の評価や、上記のような閲覧者の行動範囲を判断した表示場所の変更を行う場合、広告表示装置やアクセス数に比例してサーバの処理負荷が増大するという問題があった。従って、これらの処理に基づいたサービスの変更を、リアルタイムで行うことは困難であった。
【０００６】
本発明の第一の目的は、複数の広告表示装置からなる広告表示システムにおいて、各場所で表示する広告を、閲覧者の関心に応じて効果的に拡散させ、各場所での広告表示内容を最適化する方法を提供することにある。
【０００７】
また、本発明の第二の目的は、上記の目的を、サーバの負荷を増大させることなく、かつ自動的に達成する方法を提供することにある。
【課題を解決するための手段】
【０００８】
上記の第一の目的を達成するために、本発明の広告表示装置は、閲覧者のアクセス機器に広告の識別子を送信すると共に、前記アクセス機器に蓄積された広告の識別子を受信する。
【０００９】
また、上記の第二の目的を達成するために、本発明の広告表示装置は、前記閲覧者のアクセス機器から受信した広告の識別子を集計し、当該広告表示装置での広告表示スケジュールを計画する。
【００１０】
すなわち、本発明は、閲覧者が使用する媒体と双方向通信を行い、コンテンツ情報を表示する複数のコンテンツ表示装置と、該コンテンツ表示装置と通信可能で、前記コンテンツ情報を管理するコンテンツ管理サーバとから構成されるコンテンツ表示制御システムにおいて、前記コンテンツ表示装置は、閲覧者が使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信し、前記媒体から受信したコンテンツの識別子を集計し、集計した情報に基づいてコンテンツ表示スケジュールを計画し、該コンテンツ表示スケジュールに従ってコンテンツ情報を表示し、前記コンテンツ管理サーバは、受信した前記一件または複数件のコンテンツの識別子に対応したコンテンツ情報を、前記コンテンツ表示装置に送信する徴とするコンテンツ表示制御システムである。
【発明の効果】
【００１１】
本発明によれば、複数の広告表示装置からなる広告表示システムにおいて、各場所で表示する広告を、閲覧者の関心に応じて効果的に拡散させ、各場所での広告表示内容を最適化する方法を提供することが可能となる。また、本発明によれば、上記の方法を、サーバの負荷を増大させることなく、自動的に行うことが可能となる。
【発明を実施するための最良の形態】
【００１２】
本発明を実施するための最良の形態を説明する。
以下、図１〜図１４を用いて、本発明のコンテンツ表示制御システム及びコンテンツ表示装置とコンテンツ表示制御方法の一実施例である、広告表示スケジュールの自動切り替えを行う広告表示制御システムを例に、本発明の内容を説明する。なお、本発明において、携帯端末にＩＣ機能は必須ではない。ＩＣ機能の代わりに例えば赤外線などの非接触での通信機能であってもよい。その場合、ＩＣカードリーダライタの代わりに、広告表示端末は、赤外線通信装置を備えるのが好ましい。また、表示されるコンテンツは広告に限定されない。
【００１３】
実施例１を説明する。図１は、本実施例における広告表示制御システムの全体構成である。本システムは、駅、商業施設、電車内等の公共スペースに複数台設置される広告表示端末１０１０、及びこれらの広告表示端末とインターネット１０２０を介して接続され、広告表示端末で表示する広告コンテンツの管理等を行う広告管理サーバ１０３０から構成される。
【００１４】
広告表示端末１０１０は、広告表示スケジュールに従って複数の広告を表示する。利用者は、興味のある広告が表示された際、自身の所有するＩＣカード付携帯端末１０４０を用いて広告表示端末にアクセスし、当該広告に関連する情報を取得する。
【００１５】
図２は、広告表示端末の内部構造である。広告表示端末は、ＩＣカードリーダライタ２０１０を備え、利用者からのアクセスを受け付ける。ＩＣカードリーダライタは、近距離通信制御装置２０２０と近距離通信用アンテナ２０３０から構成される。この他、広告表示端末は、広告管理サーバとの通信を行う通信装置２０４０、広告画面を表示する表示装置２０５０、各種プログラムやサービス情報を格納する記憶装置２０６０、表示装置と記憶装置との入出力を制御するＩ／Ｏコントローラ２０７０、内部時計２０８０、及びこれらを制御するためのＣＰＵ２０９０とメモリ２１００を備える。記憶装置には、広告表示スケジュール編成プログラム２１１０、広告アクセス情報２１２０、広告アクセス集計情報２１３０、広告コンテンツ情報２１４０、広告コンテンツ２１５０、広告表示スケジュール２１６０、及びエリア端末情報２１７０が格納されている。
【００１６】
図３は、ＩＣカード付携帯端末の内部構造である。ＩＣカード付携帯端末は、通信端末部３０１０とＩＣカード部３０２０から構成され、これらはそれぞれのＩ／Ｏコントローラを介して、シリアル通信線３０３０で通信を行う。通信端末部は、携帯通信端末としての機能を制御するＣＰＵ３０４０、メモリ３０５０、公衆網経由での通信を行う通信装置３０６０と通信用アンテナ３０７０、各種表示を行う表示装置３０８０、表示装置との入出力、及び、ＩＣカード部との入出力を制御するＩ／Ｏコントローラ３０９０から構成される。
【００１７】
ＩＣカード部は、ＩＣカードとしての機能を制御するＣＰＵ３１００、広告ＩＤリスト３１１０を格納する不揮発性のメモリ３１２０、広告表示端末に備えられたＩＣカードリーダライタとの通信を行う近距離通信用アンテナ３１３０、及び通信端末部との入出力を制御するＩ／Ｏコントローラ３１４０から構成される。
【００１８】
図４は広告管理サーバの内部構造である。広告管理サーバは、広告表示端末との通信を行う通信装置４０１０、制御用のコンソールを表示する表示装置４０２０、広告関連情報を蓄積する記憶装置４０３０、表示装置と記憶装置の入出力を制御するＩ／Ｏコントローラ４０４０、及び広告管理サーバを制御する制御するＣＰＵ４０５０とメモリ４０６０から構成される。記憶装置には、広告コンテンツ情報４０７０、広告コンテンツ４０８０、及び携帯向け広告コンテンツ４０９０が格納されている。
【００１９】
図５は、利用者が広告表示端末にアクセスした際の処理フローの一例である。利用者が広告表示端末のＩＣカードリーダライタに携帯端末を近づけると、広告表示端末はステップ５０１０においてＩＣカードを検知し、ステップ５０２０において、当該時点で表示中の広告の広告ＩＤ、対応するＵＲＬ、及び内部時計からアクセス日時を取得し、ステップ５０３０において、ＩＣカードリーダライタを介して、携帯端末に対して広告ＩＤリストを要求する。
【００２０】
要求を受け付けた携帯端末は、ステップ５０４０において、カード内のメモリに格納された広告ＩＤのリストを広告表示端末に送信する。この際、広告表示端末は、同時に当該携帯端末のＩＣカードのカードＩＤを取得する。
【００２１】
図６は、携帯端末内にあるＩＣカード部の広告ＩＤリストのデータ構造の一例である。広告ＩＤリストは、リストＮｏ．６０１０、広告ＩＤ６０２０、及びアクセス日時６０３０から構成されている。本リストには、最新のアクセス履歴１０件までが格納されている。
【００２２】
図５の処理フローに戻り、広告ＩＤリストを受信した広告表示端末は、ステップ５０５０において、ステップ５０２０において取得した広告ＩＤ、ＵＲＬ、及びアクセス日時を、ＩＣカードリーダライタを介して携帯端末に送信する。広告ＩＤ、ＵＲＬ、及びアクセス日時を受信した携帯端末は、ステップ５０６０において当該情報をカード部のメモリ内にある広告ＩＤリストに格納し、ステップ５０７０において、受信したＵＲＬを用いて表示中広告のコンテンツを表示する。
【００２３】
上記の処理フローにより、利用者は、表示中の広告に興味を持った際、広告表示装置に携帯端末をかざすだけで、上記広告に関連するコンテンツを取得することが可能となる。
【００２４】
図７は、携帯端末が表示中広告の関連コンテンツを表示する際の処理フローの一例である。ステップ７０１０において、ＩＣカード部のＣＰＵがＵＲＬ送信イベントを発生すると、ステップ７０２０において、通信端末部はこのイベントを受信し、Ｉ／Ｏコントローラを介してＵＲＬを読み取る。ＵＲＬを読み取った通信端末部は、ステップ７０３０において、通信装置を介して当該ＵＲＬにアクセスし、ステップ７０４０において、受信したコンテンツを表示装置に表示する。
【００２５】
図５の処理フローに戻り、ステップ５０５０において、広告ＩＤ、ＵＲＬ、及びアクセス日時を携帯端末に送信した広告表示端末は、ステップ５０８０において同一地域内の端末情報が格納されたエリア端末情報を参照し、当該情報内の広告表示端末に対して広告ＩＤリストを送信する。この処理により、当該広告表示装置が設置してある地域、例えば同一駅内の広告表示端末で、表示する広告コンテンツを共通化することが可能となる。各広告表示端末で独立した表示スケジュールを用いる場合には、このステップの処理は行わない。
【００２６】
図８は、エリア端末情報のデータ構造の一例である。端末情報は、端末ＩＤ８０１０、ＩＰアドレス８０２０から構成される。
【００２７】
図５に戻り、広告表示端末は、最後に、携帯端末から受信した広告ＩＤリストの処理を行う。
【００２８】
図９は、広告表示端末が広告ＩＤリストを処理する際の処理フローの一例である。このフローの処理により、広告表示端末は、利用者の携帯端末から取得した広告ＩＤリストに基づいて、自身の広告表示スケジュールを再編成する。
【００２９】
ここでは、利用者の携帯端末に格納されている広告ＩＤリストの件数を１０件とし、ステップ９０１０においてカウンタを０とした後、ステップ９０２０からステップ９０８０の処理を広告ＩＤリストの件数分繰り返す。まず、ステップ９０３０において、広告表示端末は広告アクセス情報を参照し、受信した携帯端末のカードＩＤ、及びリストＮｏ．ｎのアクセス情報（広告ＩＤ、アクセス日時）に一致するレコードがあるかどうかを判断する。広告アクセス情報に当該情報が存在する場合には、当該情報は過去に受信したレコードであるため、広告アクセス情報に登録せず、ステップ９０４０においてカウンタを加算し、次のレコードの処理に移る。ステップ９０４０の処理により、同一の利用者が、携帯端末内の広告ＩＤリストが完全に更新される以前に同一の広告表示端末にアクセスした場合に、同一アクセス履歴を重複して登録することを防止することが可能となる。
【００３０】
図１０は広告アクセス情報のデータ構造の一例である。広告アクセス情報はカードＩＤ１００１０、広告ＩＤ１００２０及びアクセス日時１００３０からなる。広告アクセス情報には、携帯端末から受信した広告ＩＤリストが、重複なく登録されている。
【００３１】
図９の処理フローに戻り、ステップ９０３０において、同一レコードが存在しない場合には、ステップ９０５０において当該情報を広告アクセス情報に格納し、ステップ９０６０において当該広告ＩＤとアクセス日を広告アクセス集計情報に格納する。
【００３２】
図１１に、広告アクセス集計情報のデータ構造の一例を示す。広告アクセス集計情報は、各広告ＩＤ１１０１０に対して、それぞれ日毎のアクセス数１１０２０が格納されている。このテーブルは、当該広告表示端末にアクセスしたユーザが、過去、他の広告表示端末も含めて、どのような広告にアクセスしてきたかを格納した統計情報である。
【００３３】
図９のステップ９０６０では、処理中のレコードについて、広告アクセス集計情報の対応する広告ＩＤ、アクセス日の値を１加算する。広告アクセス集計情報に当該広告ＩＤのレコードが存在しない場合には、レコードを追加して加算する。
【００３４】
ここで、加算するアクセス日の選択の仕方には二つの方法がある。ひとつは、ＩＣカード部に格納されているアクセス日に基づく方法であり、もうひとつは、広告表示端末が広告リストを受信した日に基づく方法である。後述する広告スケジュール編成方法では、直近の３日間のアクセス情報を集計して広告スケジュールを計画する。アクセス日の選択の仕方として前者を用いれば、利用者のアクセス日が古い広告については、広告ＩＤリストとして受信しても、当該広告表示装置において表示しないシステムとすることができる。一方、後者を用いれば、アクセス日が古い広告についても、当該広告表示端末において改めて表示を開始するようなシステムとすることができる。
【００３５】
次に、ステップ９０７０において、当該広告表示端末が、処理中のレコードの広告ＩＤのコンテンツを保持しているかどうかを判断する。
【００３６】
ステップ９０７０において、当該広告ＩＤのコンテンツが広告コンテンツ情報に存在しない場合は、ステップ９０８０において、広告管理サーバから当該広告ＩＤのコンテンツをダウンロードする。次に、ステップ９０４０においてｎを加算した後、ステップ９０２０で上限を判定して次のレコードの処理へ移る。ステップ９０７０において、当該広告ＩＤのコンテンツが存在する場合には、ステップ９０４０へ進み、次のレコードの処理に移る。
【００３７】
図１２は、広告表示端末内の広告コンテンツ情報のデータ構造の一例である。広告コンテンツ情報は、各広告ＩＤ１２０１０に対して、それぞれ広告タイトル１２０２０、テキスト情報ファイルパス１２０３０、画像ファイルパス１２０４０、及びアクセスＵＲＬ１２０５０が格納されている。テキスト情報ファイル、及び画像ファイルは、広告表示端末の記憶装置内の広告コンテンツに格納されている。尚、広告管理サーバの広告コンテンツ情報、及び広告コンテンツは、広告表示端末内の同情報と同様のデータ構造である。アクセスＵＲＬ先のコンテンツは、広告管理サーバ内の携帯向け広告コンテンツ内に格納されている。広告の表示中には、当該広告の広告ＩＤ、及び対応するアクセスＵＲＬがメモリ上にロードされており、利用者の携帯端末からアクセスを受け付けた際には、メモリ上から当該情報を取得すると共に、内部時計を参照し、これらを併せて携帯端末に送信する。
【００３８】
上記ＵＲＬが示す情報は、広告管理サーバ内に携帯向け広告コンテンツとして格納されており、利用者はこの情報を取得することができる。なお、この携帯向け広告コンテンツを広告表示端末内に保持し、広告表示端末から当該コンテンツを取得する方法も可能である。
【００３９】
図９の処理フローに戻り、ステップ９０３０からステップ９０８０の処理を繰り返した後、受信した広告ＩＤリストの全てのコンテンツを保持した状態で、ステップ９０９０において広告表示スケジュールを再編成する。なお、広告コンテンツを予めすべて広告表示端末内に保持し、広告管理サーバを設置しない構成とすることも可能である。この場合、ステップ９０７０からステップ９０８０の処理は不要である。
【００４０】
図１３は、広告表示スケジュールの編成処理フローの一例である。広告表示端末は、まずステップ１３０１０において、広告アクセス情報に過去３日間の集計情報を作成する。
【００４１】
【数１】
2006301838.tif 000003
数１は広告アクセス集計情報の集計数算出式の一例である。この数式では、各広告について、過去３日間のアクセス数にそれぞれ重みを付けて算出している。この算出式を用いれば、より最新のアクセス数を重視してスケジュールを編成することが可能となる。このような方式を用いず、過去３日間のアクセス数を単純に合計して算出することも可能である。
【００４２】
この集計結果から、ステップ１３０２０において、過去３日のアクセス数が０回以上の広告を抽出し、ステップ１３０３０において、この０回以上の広告について、それぞれの表示回数を算出する。
【００４３】
【数２】
2006301838.tif 000004
数２は表示回数の算出式の一例である。ここでは、アクセス回数が最小の広告を基準とし、この回数に対する各広告のアクセス数の比を算出し、この対数の整数成分を各広告の表示回数とした。例えば、ある広告のアクセス数が、アクセス数最小の広告の１０倍のアクセス数であった場合、この広告の表示回数を２とする。
【００４４】
【数３】
2006301838.tif 000005
数３は表示回数の算出式の別の例である。このように、アクセス回数が最小の広告に対する比を算出し、これをそのまま当該広告の表示回数とすることもできる。
【００４５】
このようにして算出した各広告の表示回数を、ステップ１３０４０において広告表示スケジュール情報に格納する。
【００４６】
図１４は広告表示スケジュール情報のデータ構造の一例である。広告表示スケジュール情報は、各広告ＩＤ１４０１０について、それぞれの表示単位数１４０２０を格納しており、広告の表示においては、各広告を順次表示単位回数分表示することを繰り返す。
【００４７】
上記の処理によって生成した広告表示スケジュールに基づき、広告表示端末は各広告コンテンツを再生する。
【００４８】
上記のステップ５０８０において、利用者の携帯端末から広告ＩＤリストを受信した時点で、地域内の各広告表示端末に当該リストを送信することにより、地域内の広告表示端末間で広告ＩＤリストを共有し、広告表示スケジュールを共通化する方法を示した。この代替策として、地域内の特定の広告表示端末がマスター端末となって広告ＩＤリストを収集し、ステップ９１００において、上記マスター端末が地域内の各広告表示端末に対して広告表示スケジュールを配信することにより、上記と同様に、地域内で広告表示スケジュールを共通化する方法も可能である。
【００４９】
また、上記のステップ５０１０からステップ５０４０において、広告表示端末がＩＣカードに格納された広告ＩＤリストを収集する方法を示したが、この広告ＩＤリストの収集を他のＩＣカード利用機器で行うことも可能である。例えば、ＩＣカード乗車券を兼ねた携帯端末である場合、駅の改札機で回収することも可能である。この場合、改札機は、ステップ５０１０、ステップ５０３０、携帯端末はステップ５０４０の処理を行い、ステップ５０８０において、改札機内のエリア端末情報に格納されたエリア端末情報に基づき、当該駅内に設置された広告表示端末に対し、広告ＩＤリストを送信する。この方法を用いれば、例えばあまり広告にアクセスしない利用者の広告ＩＤリストについても、頻繁に収集することが可能となる。
【００５０】
このようにして、図５、及び図９の一連の処理フローにより、各場所に設置された広告表示端末が、自身にアクセスした利用者のＩＣカードに格納された広告ＩＤに基づいて、表示スケジュールを更新することが可能となる。
【００５１】
上記で述べた本広告表示制御システムにより、複数の利用者を介して、各所で表示する広告コンテンツが拡散するモデルを図１５に示す。
【００５２】
ユーザ（１）１５０１０、ユーザ（２）１５０２０は、それぞれ路線Ａ１５０３０、路線Ｂ１５０４０の範囲を行動範囲としている。また、駅ａの広告表示端末１５０５０は、広告ＩＤ＝１０１，１０２，１０３のコンテンツを、駅ｂの広告表示端末１５０６０は、広告ＩＤ＝２０１，２０２，２０３のコンテンツを、それぞれ表示している。
【００５３】
ここで、ユーザ（１）が、駅ａの広告表示端末において広告ＩＤ＝１０１の広告に興味を持ち、アクセスしたとする。また、同じくユーザ（２）が、駅ｂの広告表示端末１５０６０において、広告ＩＤ＝２０１の広告に興味を持ち、アクセスしたとする。ユーザ（１）の携帯端末には、広告ＩＤ＝１０１が格納され、次に駅ｃの広告表示端末にアクセスすると、この駅の広告表示端末は当該ＩＤを受信し、当該広告の表示を開始する。
【００５４】
この後、ユーザ（２）がもしこの広告に興味を持った場合、広告ＩＤ＝１０１はユーザ（２）の携帯端末に格納され、次回駅ｂの広告表示端末にアクセスした際に、この広告表示端末に格納され、ここで広告ＩＤ＝１０１の表示が開始される。
【００５５】
このようにして、ユーザ（１）は、自身の行動範囲である路線Ａ内において、広告ＩＤ＝１０１を拡散させる。さらに、駅ｃを介して行動範囲が重複するユーザ（２）がもしこの広告に興味を持った場合、ユーザ（２）は、この広告ＩＤを自身の行動範囲である路線Ｂで拡散させることになる。このようにして、行動範囲の重複するユーザが同じコンテンツに関心を持った場合、そのコンテンツを口コミ的に、自動的に拡散させることが可能になる。一方で、もしこのコンテンツが路線Ａを行動範囲とするユーザにのみ関心を持たれるという地域性を持っていれば、このコンテンツはユーザ（２）にはアクセスされないため、路線Ａ内でのみ拡散する。このように、コンテンツが地域性を持っている場合、当該コンテンツは、当該コンテンツが有効な地域内でのみ拡散する。
【００５６】
上記の一連の処理により、本実施例の広告表示制御システムは、各広告コンテンツの表示場所を、ユーザの関心やコンテンツの特性に応じて、自動的かつ効率的に拡散させることが可能となる。
【００５７】
以上実施例で説明したが、本発明の他の実施形態１は、前記コンテンツ表示装置は、閲覧者が使用する媒体から受信したコンテンツの識別子に対応したコンテンツ情報を記憶しているとき、そのコンテンツの識別子を除いたコンテンツの識別子を、前記コンテンツ管理サーバに送信するコンテンツ表示制御システムである。
【００５８】
また、本発明の他の実施形態２は、前記コンテンツ表示装置は、媒体から受信した一件または複数件のコンテンツの識別子と、該識別子を受信した受信日時とを対応付けて格納し、前記コンテンツ表示スケジュールを計画する際に、受信したコンテンツの識別子と対応する受信日時を集計し、当該情報に基づいて計画するコンテンツ表示制御システムである。
【００５９】
そして、本発明の他の実施形態３は、前記閲覧者の使用する媒体は、前記コンテンツ表示装置から受信したコンテンツの識別子を、前記媒体が当該識別子を受信した受信日時と対応付けて格納する手段を有しており、前記コンテンツ表示装置は、前記媒体に以前に格納された一件または複数件のコンテンツの識別子と、対応する受信日時を受信し、前記媒体から受信したコンテンツの識別子と受信日時を格納し、受信したコンテンツの識別子と受信日時とを集計し、集計した情報に基づいてコンテンツ表示スケジュールを計画するコンテンツ表示制御システムである。
【００６０】
更に、本発明の他の実施形態４は、閲覧者が使用する媒体と双方向通信を行い、コンテンツ情報を表示する複数のコンテンツ表示装置から構成されるコンテンツ表示制御システムにおいて、前記コンテンツ表示装置は、複数のコンテンツ情報を格納し、閲覧者の使用する媒体に対して、表示中のコンテンツの識別子を送信し、前記媒体内に格納された一件または複数件のコンテンツの識別子を受信し、前記媒体から受信したコンテンツの識別子を用いて、コンテンツ表示スケジュールを計画し、計画したコンテンツ表示スケジュールに従ってコンテンツ情報を表示するコンテンツ表示制御システムである。
【００６１】
また、本発明の他の実施形態５は、前記コンテンツ表示装置は、前記媒体から受信した一件または複数件のコンテンツの識別子を、他の特定のコンテンツ表示装置に送信するコンテンツ表示制御システムである。
【００６２】
そして、本発明の他の実施形態６は、前記他の特定のコンテンツ表示装置は、自装置において媒体から受信したコンテンツの識別子と、前記コンテンツ表示装置から受信したコンテンツの識別子とを集計し、集計した情報に基づいてコンテンツ表示スケジュールを計画し、該コンテンツ表示スケジュールを、前記コンテンツ表示装置に送信するコンテンツ表示制御システムである。
【００６３】
更に、本発明の他の実施形態７は、閲覧者が使用する媒体と双方向通信を行い、コンテンツを表示する複数のコンテンツ表示装置と、該コンテンツ表示装置と通信可能で、前記コンテンツ情報を管理するコンテンツ管理サーバと、閲覧者が使用する媒体と双方向通信を行い、前記閲覧者にサービスを提供する他の複数のアクセス機器から構成されるコンテンツ表示制御システムにおいて、前記コンテンツ表示装置は、閲覧者の使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信する送信手段を有し、前記媒体から受信したコンテンツの識別子、及び前記アクセス機器から受信したコンテンツの識別子を集計し、集計した情報に基づいてコンテンツ表示スケジュールを計画し、該コンテンツ表示スケジュールに従ってコンテンツ情報を表示し、前記コンテンツ管理サーバは、受信した前記一件または複数件のコンテンツの識別子に対応したコンテンツ情報を、前記コンテンツ表示装置に送信し、前記アクセス機器は、前記媒体に格納された一件または複数件のコンテンツの識別子を受信し、前記受信した一件または複数件のコンテンツの識別子を前記コンテンツ表示装置に送信するコンテンツ表示制御システムである。
【００６４】
また、本発明の他の実施形態８は、コンテンツ情報を管理するコンテンツ管理サーバと通信可能で、閲覧者が使用する媒体と双方向通信を行い、前記コンテンツ情報を表示するコンテンツ表示装置において、閲覧者が使用する媒体に対して、表示中のコンテンツの識別子を送信し、前記媒体内に格納された一件または複数件のコンテンツの識別子を受信し、前記受信した一件または複数件のコンテンツの識別子を前記コンテンツ管理サーバに送信し、前記媒体から受信したコンテンツの識別子を集計し、集計した情報に基づいてコンテンツ表示スケジュールを計画し、該コンテンツ表示スケジュールに従ってコンテンツ情報を表示するコンテンツ表示装置である。
【００６５】
そして、本発明の他の実施形態９は、前記媒体から受信したコンテンツの識別子を集計する際に、閲覧者が使用する媒体と双方向通信を行い、前記閲覧者にサービスを提供するアクセス機器から受信したコンテンツの識別子を加えて集計するコンテンツ表示装置である。
【００６６】
更に、本発明の他の実施形態１０は、閲覧者が使用する媒体と双方向通信を行い、コンテンツを表示する複数のコンテンツ表示装置と、該コンテンツ表示装置と通信可能で、前記コンテンツ情報を管理するコンテンツ管理サーバから構成されるコンテンツ表示制御システムにおけるコンテンツ表示制御方法において、前記コンテンツ表示装置が、閲覧者の使用する媒体に対して、表示中のコンテンツの識別子を送信する第一のステップと、前記コンテンツ表示装置が、前記媒体内に格納された一件または複数件のコンテンツの識別子を受信する第二のステップと、前記コンテンツ表示装置が、前記受信した一件、または複数件のコンテンツの識別子をコンテンツ管理サーバに送信する第三のステップと、前記コンテンツ管理サーバが、前記受信した一件、または複数件のコンテンツの識別子に対応するコンテンツ情報を、前記コンテンツ表示装置に送信する第四のステップと、前記コンテンツ表示装置が、前記媒体から受信した一件または複数件のコンテンツの識別子を用いて、コンテンツ表示スケジュールを計画する第五のステップと、前記コンテンツ表示装置が、前記コンテンツ表示スケジュールに従ってコンテンツ情報を表示する第六のステップとを有するコンテンツ表示制御方法である。
【００６７】
また、本発明の他の実施形態１１は、閲覧者が使用する媒体と双方向通信を行い、コンテンツを表示する複数のコンテンツ表示装置と、該コンテンツ表示装置と通信可能で、前記コンテンツ情報を管理するコンテンツ管理サーバから構成されるコンテンツ表示制御システムにおけるコンテンツ表示装置に使用されるコンピュータ・ソフトウエアであって、閲覧者の使用する媒体に対して、表示中のコンテンツの識別子を送信する機能と、前記媒体内に格納された一件または複数件のコンテンツの識別子を受信する機能と、前記受信した一件または複数件のコンテンツの識別子をコンテンツ管理サーバに送信する機能と、前記媒体から受信した一件または複数件のコンテンツの識別子を用いて、コンテンツ表示スケジュールを計画する機能と、前記コンテンツ表示スケジュールに従ってコンテンツ情報を表示する機能とを前記コンテンツ表示装置に実現させるプログラムであるコンピュータ・ソフトウエアである。
【図面の簡単な説明】
【００６８】
【図１】広告表示制御システムの全体構成の説明図。
【図２】広告表示端末の内部構造の説明図。
【図３】携帯端末の内部構造の説明図。
【図４】広告管理サーバの内部構造の説明図。
【図５】利用者が広告表示端末にアクセスした際の処理フローの説明図。
【図６】携帯端末内の広告ＩＤリストのデータ構造の説明図。
【図７】携帯端末が表示中広告の関連コンテンツを表示する際の処理フローの説明図。
【図８】エリア端末情報のデータ構造の説明図。
【図９】広告表示端末が受信した広告ＩＤリストを処理し、広告表示スケジュールを再編成する際の処理フローの説明図。
【図１０】広告アクセス情報のデータ構造の説明図。
【図１１】広告アクセス集計情報のデータ構造の説明図。
【図１２】広告管理サーバ、及び広告表示端末内の広告コンテンツ情報のデータ構造の説明図。
【図１３】広告表示スケジュールの編成処理フローの説明図。
【図１４】広告表示スケジュール情報のデータ構造の説明図。
【図１５】広告コンテンツの拡散モデルの説明図。
【符号の説明】
【００６９】
１０１０  広告表示端末
１０２０  インターネット網
１０３０  広告管理サーバ
１０４０  携帯端末
２０１０  ＩＣカードリーダライタ
２０２０  近距離通信装置
２０３０  近距離通信用アンテナ
２０４０  通信装置
２０５０  表示装置
２０６０  記憶装置
２０７０  Ｉ／Ｏコントローラ
２０８０  内部時計
２０９０  ＣＰＵ
２１００  メモリ
２１１０  広告表示スケジュール編成プログラム
２１２０  広告アクセス情報
２１３０  広告アクセス集計情報
２１４０  広告コンテンツ情報
２１５０  広告コンテンツ
２１６０  広告表示スケジュール
２１７０  エリア端末情報
３０１０  通信端末部
３０２０  ＩＣカード部
３０３０  シリアル通信線
３０４０  ＣＰＵ
３０５０  メモリ
３０６０  通信装置
３０７０  通信用アンテナ
３０８０  表示装置
３０９０  Ｉ／Ｏコントローラ
３１００  ＣＰＵ
３１１０  広告ＩＤリスト
３１２０  メモリ
３１３０  近距離通信用アンテナ
３１４０  Ｉ／Ｏコントローラ
４０１０  通信装置
４０２０  表示装置
４０３０  記憶装置
４０４０  Ｉ／Ｏコントローラ
４０５０  ＣＰＵ
４０６０  メモリ
４０７０  広告コンテンツ情報
４０８０  広告コンテンツ
４０９０  携帯向け広告コンテンツ
【図１】
2006301838.tif 000006
【図２】
2006301838.tif 000007
【図３】
2006301838.tif 000008
【図４】
2006301838.tif 000009
【図５】
2006301838.tif 000010
【図６】
2006301838.tif 000011
【図７】
2006301838.tif 000012
【図８】
2006301838.tif 000013
【図９】
2006301838.tif 000014
【図１０】
2006301838.tif 000015
【図１１】
2006301838.tif 000016
【図１２】
2006301838.tif 000017
【図１３】
2006301838.tif 000018
【図１４】
2006301838.tif 000019
【図１５】
2006301838.tif 000020